(57)【要約】【課題】テレビ受像機に内蔵のオーディオ回路・スピーカを、適切にマルチチャンネルオーディオシステムに組み入れることのできるオーディオアンプを提供する。【解決手段】ビデオ信号およびマルチチャンネルのオーディオ信号を入力するオーディオ信号取得部、テレビ受像機が接続されるテレビ接続部、スピーカが接続されるスピーカ接続部、センタチャンネルのオーディオ信号とビデオ信号をテレビ接続部から出力するとともに、他のチャンネルのオーディオ信号をテレビ受像機がビデオ信号のデコードに要する時間だけ遅延させてスピーカ接続部から出力する信号処理部とをを備える。【選択図】図１
2011130236.tif 000002
【特許請求の範囲】
【請求項１】
ビデオ信号およびマルチチャンネルのオーディオ信号を再生または入力するオーディオ信号取得部と、
テレビ受像機が接続されるテレビ接続部と、
スピーカが接続されるスピーカ接続部と、
一部チャンネルのオーディオ信号および前記ビデオ信号を前記テレビ接続部から出力するとともに、他のチャンネルのオーディオ信号を、前記テレビ受像機が前記一部チャンネルのオーディオ信号およびビデオ信号の処理に要する時間だけ遅延させて前記スピーカ接続部から出力する信号処理部と、
を備えたオーディオアンプ。
【請求項２】
前記信号処理部は、前記他のチャンネルの音量制御を行うとともに、前記一部チャンネルの音量制御コマンドを前記テレビ接続部から出力する請求項１に記載のオーディオアンプ。
【請求項３】
前記一部チャンネルは、センタチャンネルである請求項１または請求項２に記載のオーディオアンプ。
【請求項４】
前記信号処理部は、聴取点にマイクを設置し、前記テレビ接続部に接続されたテレビ受像機のスピーカから放音されたテスト音声を前記マイクが収音するまでの所要時間と、前記スピーカ接続部に接続されたスピーカから放音されたテスト信号を前記マイクが収音するまでの所要時間の差の時間だけ、前記他のチャンネルのオーディオ信号を遅延させる請求項１乃至請求項３のいずれかに記載のオーディオアンプ。
【発明の詳細な説明】
【技術分野】
【０００１】
この発明は、マルチチャンネルのオーディオ信号を再生するオーディオアンプに関する。
【背景技術】
【０００２】
デジタルテレビ放送、ＤＶＤ、ＢｌｕＲａｙディスク等のマルチチャンネルオーディオソースの普及に伴って、マルチチャンネルのオーディオ信号を再生するオーディオシステムが普及している。マルチチャンネルオーディオシステムを構成する場合、通常はそのチャンネル分のスピーカがリスニングルーム内に配置される。
【０００３】
一方、上に掲げたようにマルチチャンネルオーディオソースは、ビデオ信号（映像）を伴うオーディオ・ビデオ（ＡＶ）ソースである。したがって、マルチチャンネルオーディオシステムでは上記複数のスピーカとともにモニタが設置される。モニタとして、通常はテレビ受像機が用いられる。テレビ受像機は、液晶等のディスプレイを備えるとともにオーディオ回路やスピーカ等を備えている。そこで、テレビ受像機の内蔵スピーカをマルチチャンネルオーディオ信号の一部に組み込むことのできるオーディオシステムが提案されている（たとえば特許文献１，２）。
【先行技術文献】
【特許文献】
【０００４】
【特許文献１】特開２００４−１０４７１５号公報
【０００５】
【特許文献２】特開２００６−５０１９５号公報
【発明の概要】
【発明が解決しようとする課題】
【０００６】
ところで、デジタルオーディオ信号のデコードには数ミリ秒程度の時間しか必要でないのに対して、デジタルビデオ信号のデコードには５０ミリ秒〜１００ミリ秒程度の時間が必要であるため、ビデオ信号処理部とオーディオ信号信号部を独立して動作させた場合、映像が音声に遅れて出力され、セリフと出演者の口の動きがずれてしまう。そこで、近年のテレビ受像機は、ビデオ信号のデコードに必要な時間だけオーディオ信号を遅延させてスピーカに出力する機能（リップ・シンク機能）を備えている。
【０００７】
しかし、特許文献１，２のシステムでは、マルチチャンネルのオーディオ信号を単にスピーカとテレビ受像機に振り分けているのみであるため、スピーカから放音される音声とテレビ受像機で遅延されて出力される音声・映像とがずれてしまうという問題点があった。
【０００８】
この発明は、テレビ受像機に内蔵のオーディオ回路・スピーカを、適切にマルチチャンネルオーディオシステムに組み入れることのできるオーディオアンプを提供することを目的とする。
【課題を解決するための手段】
【０００９】
請求項１の発明は、ビデオ信号およびマルチチャンネルのオーディオ信号を再生または入力するオーディオ信号取得部と、テレビ受像機が接続されるテレビ接続部と、スピーカが接続されるスピーカ接続部と、一部チャンネルのオーディオ信号および前記ビデオ信号を前記テレビ接続部から出力するとともに、他のチャンネルのオーディオ信号を、前記テレビ受像機が前記一部チャンネルのオーディオ信号およびビデオ信号の処理に要する時間分遅延させて前記スピーカ接続部から出力する信号処理部と、を備えたことを特徴とする。
【００１０】
請求項２の発明は、前記信号処理部が、前記他のチャンネルの音量制御を行うとともに、前記一部チャンネルの音量制御コマンドを前記テレビ接続部から出力することを特徴とする。
【００１１】
請求項３の発明は、前記一部チャンネルは、センタチャンネルであることを特徴とする。
【００１２】
請求項４の発明は、前記信号処理部が、聴取点にマイクを設置し、前記テレビ接続部に接続されたテレビ受像機のスピーカから放音されたテスト音声を前記マイクが収音するまでの所要時間と、前記スピーカ接続部に接続されたスピーカから放音されたテスト信号を前記マイクが収音するまでの所要時間の差の時間だけ、前記他のチャンネルのオーディオ信号を遅延させることを特徴とする。
【発明の効果】
【００１３】
この発明のオーディオアンプによれば、スピーカから放音するオーディオ信号を、テレビ受像機内でビデオ信号、オーディオ信号の処理に要する時間だけ遅延して出力するため、直接接続されているスピーカとテレビ受像機の内蔵スピーカとを組み合わせてオーディオ信号を構成した場合にも音声や映像がずれることなく同期した再生が可能になる。
【図面の簡単な説明】
【００１４】
【図１】この発明の実施形態であるＡＶシステムの構成図
【図２】ＡＶシステムのＡＶアンプおよびテレビの概略ブロック図
【図３】ＡＶアンプ内のオーディオ信号の流れを説明する図
【図４】ＡＶアンプに記憶されるパラメータテーブルの例を示す図
【図５】音場最適化処理の手順を示すフローチャート
【図６】オーディオの各チャンネルに設定される遅延時間を説明する図
【図７】ＡＶアンプのモード切換動作を示すフローチャート
【発明を実施するための形態】
【００１５】
図１はこの発明の実施形態であるＡＶシステムの構成図である。リスニングルーム９の略中央にユーザが座るリスニングポイント８が設定される。このリスニングポイント８の前方正面にラック５が配置され、このラック５の上にテレビ受像機（テレビ）２、ラック５の内部にＡＶアンプ１およびソース機器４が設置されている。ソース機器４は、たとえばＤＶＤ再生装置やセットトップボックス等である。
【００１６】
また、リスニングポイント８を囲むようにスピーカ３が配置される。リスニングポイント８の前方左右にフロント左（ＦＬ）スピーカおよびフロント右（ＦＲ）スピーカが配置され、リスニングポイント８の後方左右にサラウンド左（ＳＬ）スピーカおよびサラウンド右（ＳＲ）スピーカが配置され、リスニングポイント８の左方にサブウーファ（ＳＷ）が配置される。
【００１７】
ソース機器４は、映像信号および５．１チャンネルのオーディオ信号を有するオーディオ・ビデオ信号を再生出力する。ここで５．１チャンネルとは、センタ（Ｃ）チャンネル、フロント左（ＦＬ）チャンネル、フロント右（ＦＲ）チャンネル、サラウンド左（ＳＬ）チャンネル、サラウンド右（ＳＲ）チャンネル、サブウーファ（ＳＷ）チャンネルである。ソース機器４によって再生されたオーディオ・ビデオ信号は、ＨＤＭＩケーブルを介してＡＶアンプ１に入力される。
【００１８】
ＡＶアンプ１は、切換操作により、直接接続されているスピーカ３のみでオーディオソースを再生する通常モード、および、スピーカ３およびテレビ２の内蔵スピーカ２４でマルチチャンネルオーディオシステムを構成する拡張モードで動作する。
【００１９】
拡張モード時、ＡＶアンプ１内では、映像信号は、そのまま（遅延されたのち）下流のテレビ２に出力される。入力されたオーディオ信号のうちＦＬチャンネル、ＦＲチャンネル、ＳＬチャンネル、ＳＲチャンネル、ＳＷチャンネルの信号は、遅延、音質調整、音量調整の信号処理が行われたのち、対応するスピーカ３に出力される。また、センタチャンネルの信号は、遅延、音質調整の信号処理が行われたのち、音量制御コマンド（ＣＥＣコマンド）および映像信号とともにテレビ２に出力される。ＡＶアンプ１とテレビ２とはＨＤＭＩケーブルを介して接続される。
【００２０】
拡張モード時、テレビ２では、入力された映像信号を再生してディスプレイに表示するとともに、入力されたセンタチャンネルのオーディオ信号を内蔵のスピーカ（ステレオスピーカ）２４を用いて再生する。オーディオ信号の再生音量は、ＡＶアンプ１から入力される音声制御コマンドによって制御される。
【００２１】
これにより拡張モードでは、テレビ２の内蔵スピーカ２４がＡＶアンプ１を中心とするオーディオシステムに組み込まれ、無駄のないスピーカ構成が可能になる。また、出演者のセリフ等が再生されるセンタチャンネルがテレビ２の正面から聴こえてくるようになり、音声の到来方向に違和感がなくなる。
【００２２】
図２は、ＡＶアンプ１、テレビ２の概略ブロック図である。ＡＶアンプ１は、制御部１０、メモリ１１、操作・表示部１２、ＨＤＭＩ受信部（Ｒｘ）１３、ＨＤＭＩ送信部（Ｔｘ）１６、音声処理部１４および映像バッファ１５を備えている。制御部１０はＡＶアンプ１全体の動作を制御する。メモリ１１はフラッシュメモリであり、装置の動作を制御するプログラムや設定されたパラメータ等を不揮発に記憶する。操作・表示部１２はユーザの操作を受け付けるとともに、現在の動作状態を表示する。ＨＤＭＩ受信部１３は、ソース機器４のＨＤＭＩ送信部４１からオーディオ・ビデオ信号を受信する。また、ＨＤＭＩ送信部１６はテレビ２のＨＤＭＩ受信部２１に対してオーディオ・ビデオ信号を送信する。ＨＤＭＩケーブルでは、デジタルのオーディオ・ビデオ信号に加えて、下流の装置を制御するためのコマンド信号（ＣＥＣコマンド）を伝送することができる。
【００２３】
音声処理部１４はＤＳＰで構成され、ＨＤＭＩ受信部１３から入力されたオーディオ信号を処理し、処理した信号をスピーカ接続部１７を介してスピーカ３に出力するとともに、ＨＤＭＩ送信部１６を介してテレビ２に出力する。バッファ１５は音声処理部１４がオーディオ信号の処理に要する時間だけビデオ信号を遅延してＨＤＭＩ送信部１６に出力する。
【００２４】
なお、図２では、スピーカ接続部１７に直接スピーカ３が接続されているが、スピーカ接続部１７とスピーカ３との間に別体のパワーアンプ等の機器が挿入されていてもよい。
【００２５】
ここで、図３および図４を参照して、拡張モード時の音声処理部１４におけるオーディオ信号の処理について説明する。図３は、ＡＶアンプ１の音場処理部１４の前後におけるオーディオ信号の流れを示す図である。図４はメモリ１１に設定されるパラメータテーブルの例を示す図である。ＨＤＭＩ受信部１３から入力された５．１チャンネルのオーディオ信号は音声処理部１４に入力される。音声処理部１４は機能的に、遅延部１４Ａ、イコライザ１４Ｂ、音量制御部１４Ｃを備えている。遅延部１４Ａには、制御部１０（メモリ１１）から、各チャンネルのオーディオ信号の遅延時間を定める遅延パラメータ（図４参照）が入力される。遅延時間は、信号処理に要する時間やスピーカの設置位置等による到達時間のずれをキャンセルして、各チャンネルのオーディオ信号が同時にリスニングポイント８に到達するようにするための調整時間である。遅延部１４Ａは、各チャンネルのオーディオ信号を遅延パラメータに定める時間だけ遅延させてイコライザ１４Ｂに入力する。
【００２６】
イコライザ１４Ｂはたとえば７バンドのパラメトリックイコライザで構成される。イコライザ１４Ｂには、制御部１０（メモリ１１）から各チャンネルの音場制御パラメータが入力される。音場制御パラメータは、ユーザ設定音場パラメータと音場補償パラメータ（図４参照）を合成したものである。ユーザ設定音場パラメータは、ホールやライブなどの音場を実現するためのイコライズパラメータである。音場補償パラメータは、各チャンネルのスピーカの性能や設置条件による音質の相違を補償して、全チャンネルの信号を同じ音質でリスニングポイント８に到達させるためのイコライズパラメータである。イコライザ１４Ｂは、各チャンネルのオーディオ信号を音場制御パラメータで音質調整して出力する。ＦＬチャンネル、ＦＲチャンネル、ＳＬチャンネル、ＳＲチャンネル、ＳＷチャンネルの信号は音量制御部１４Ｃに入力される。また、センタチャンネルの信号は、ＨＤＭＩ送信部１６に入力される。なお、音声処理部１４は、よりリアルな音場を形成するために、オーディオ信号に対して残響等の効果付与を行ってもよい。
【００２７】
音量制御部１４Ｃには、制御部１０（メモリ１１）から、ＦＬチャンネル、ＦＲチャンネル、ＳＬチャンネル、ＳＲチャンネル、ＳＷチャンネルの音量制御パラメータが入力される。また、センタチャンネルの音量制御パラメータはＨＤＭＩ送信部１６に入力される。音量制御パラメータは、ユーザ設定音量制御値と音量補償パラメータ（図４参照）を合成したものである。ユーザ設定音量制御値は、ユーザの操作によって設定されたボリウム値である。音量補償パラメータは、各チャンネルのスピーカの大きさやリスニングポイント８からの距離などによって生じる音量の差を補償して、全チャンネルの信号がリスニングポイント８において同じ音量で聴こえるようにするためのパラメータである。音量制御部１４Ｃは、ＦＬチャンネル、ＦＲチャンネル、ＳＬチャンネル、ＳＲチャンネル、ＳＷチャンネルのオーディオ信号を音量制御パラメータで音質調整して対応するチャンネルのスピーカ３に出力する。
【００２８】
また、センタチャンネルのオーディオ信号および音量制御パラメータは、ビデオ信号とともにＨＤＭＩ送信部１６からテレビ２に向けて出力される。センタチャンネルのオーディオ信号は、テレビ２の音声処理部２２で音量制御され、テレビ２の内蔵スピーカ２４から放音される。
【００２９】
テレビ２は、制御部２０、ＨＤＭＩ受信部２１、音声処理部２２、映像処理部２３、内蔵のスピーカ２４およびディスプレイ２５を備えている。ＨＤＭＩ受信部２１は、ＡＶアンプ１からオーディオ・ビデオ信号を受信する。ＨＤＭＩ受信部２１が受信したオーディオ・ビデオ信号のうち、オーディオ信号は音声処理部２２に入力され、ビデオ信号は映像処理部２３に入力される。また、ＨＤＭＩケーブルを介して送られてきたコマンド信号は制御部２０に入力される。映像処理部２３は、入力されたビデオ信号をデコードしてディスプレイ２５に表示する。音声処理部２２は、入力されたオーディオ信号の音量を制御するとともに、このオーディオ信号を遅延させたのちスピーカ２４から放音する。音声処理部２２がオーディオ信号を遅延させる遅延時間は、映像処理部２３がビデオ信号をデコードするために要する時間と同程度である。この遅延時間は概ね５０ミリ秒程度である。これにより、映像と音声の同期をとり、出演者の口の動きとセリフの音声とがずれないようにしている。
【００３０】
制御部２０は、ＡＶアンプ１から音量制御コマンドが入力された場合には、この音量制御コマンドで音声処理部２２を制御し、コマンドに応じた音量制御を行う。制御部２０は、音量制御コマンドに応じた音量制御を行っているとき、ユーザからの音量調整操作を受け付けない。ただし、ユーザはＡＶアンプ１に対して音量調整操作を行えば、スピーカ３の音量が制御されるとともに、この操作に応じた音量制御コマンドがＡＶアンプ１からテレビ２に転送され、テレビ２の内蔵スピーカ２４を含むＡＶシステム全体の音量が制御される。
【００３１】
なお、ＡＶアンプ１の音声処理部１４には、上記遅延パラメータ、音場補償パラメータ、音量補償パラメータを決定するための音場最適化処理を実行するためのマイク６が接続される。
【００３２】
ここで、図５のフローチャートを参照して、上記遅延パラメータ、音場補償パラメータ、音量補償パラメータを決定するための音場最適化処理について説明する。音場最適化処理は、リスニングポイント８にマイク６を設置してスピーカ３，２４の各々から個別にテスト音声を放音し、マイク６が収音したテスト音声のタイミング、周波数スペクトル、音量に基づき、各スピーカ３，２４間の差を解消するようなパラメータを決定する。すなわち、放音タイミングの差が解消されるように遅延パラメータを決定し、周波数スペクトルの差が解消されるように音場補償パラメータを決定し、音量差が解消されるように音量補償パラメータを決定する。
【００３３】
ユーザが、リスニングポイント８にマイク６を設置して、音場最適化処理を開始する操作を行うと図５の動作がスタートする。まずスピーカ３が接続されているチャンネルを１つ選択する（Ｓ１）。この選択されたチャンネルのスピーカ３に対してパルス音を出力して放音させ（Ｓ２）、このパルス音がマイク６へ到達して収音されるまでの時間を測定する（Ｓ３）。全チャンネルの到達時間の測定が終了したのち、それらを比較して各チャンネルの遅延パラメータが決定される。次に、選択されたチャンネルのスピーカ３に対してホワイトノイズを出力して放音させる（Ｓ４）。ホワイトノイズは全ての周波数成分を均等に含む信号である。マイク６が収音したこの信号をＦＦＴして周波数成分を測定する（Ｓ５）。この測定結果に基づき、選択されたチャンネルのスピーカ３からリスニングポイント８へ到達する音声の周波数特性がフラットになるように調整する音場補償パラメータを決定する（Ｓ６）。次に、選択されたチャンネルのスピーカ３に最大音量（０ｄＢ）の音を出力して放音させ（Ｓ７）、この音をマイク６で収音してその音圧レベルを測定する（Ｓ８）。全チャンネルの音圧レベルの測定が終了したのち、それらを比較して各チャンネルの音量補償パラメータが決定される。
【００３４】
こののち、スピーカ３が接続されている全てのチャンネルについてＳ２〜Ｓ８の処理が終了したかを判断する（Ｓ９）。全てのチャンネルの処理が終了していない場合には（Ｓ９でＮＯ）、次のチャンネルを選択して（Ｓ１０）、Ｓ２にもどる。全てのチャンネルの処理が終了た場合には（Ｓ９でＹＥＳ）、Ｓ１１に進んでテレビ２の内蔵スピーカ２４について上記処理を実行する。
【００３５】
Ｓ１１ではテレビ２に対して音量を最大（０ｄＢ）に固定してユーザの操作を禁止する内容のコマンド（ＣＥＣコマンド）を送信する。同時に、そのときテレビ２設定されていたボリウム値を吸い上げて記憶する。そして、テレビ２に対してパルス音を出力して内蔵スピーカ２４で放音させ（Ｓ１２）、このパルス音がマイク６へ到達して収音されるまでの時間を測定する（Ｓ１３）。次に、テレビ２に対してホワイトノイズを出力して内蔵スピーカ２４で放音させ（Ｓ４）、マイク６が収音したこの信号をＦＦＴして周波数成分を測定する（Ｓ１５）。この測定結果に基づき、テレビ２の内蔵スピーカ２４からリスニングポイント８へ到達する音声の周波数特性がフラットになるように調整する音場補償パラメータを決定する（Ｓ１６）。次に、テレビ２に最大音量（０ｄＢ）の音を出力して内蔵スピーカ２４で放音させ（Ｓ１７）、この音をマイク６で収音してその音圧レベルを測定する（Ｓ１８）。以上の処理ののち、テレビ２に対して吸い上げたボリウム値を設定して、ユーザによる操作を許可する（Ｓ１９）。
【００３６】
これで全ての測定処理を終了し、以下遅延パラメータおよび音量制御パラメータを決定する。まず各チャンネルの遅延パラメータを設定する（Ｓ２０）。各チャンネルにテスト音声を出力してから、その音声がリスニングポイント８に到達するまでの到達時間を比較し、音声の到達時間が最も長いチャンネル（最遅チャンネル）の遅延時間を０に設定する。他のチャンネルの遅延時間は、そのチャンネルの音声の到達時間と上記最遅チャンネルの音声の到達時間との差とする。各チャンネルの遅延時間がこのように設定されるように遅延パラメータを決定する。
【００３７】
図６を参照して各チャンネルの遅延時間についてより詳細に説明する。上に述べたようにテレビ２では、ビデオ信号のデコードに５０ｍｓ程度の時間を要するため、再生出力した映像と音声にずれが生じないように、オーディオ信号もビデオ信号のデコードと同じ程度の時間（５０ｍｓ程度）内部で遅延させている。したがって、テスト信号を出力したのちリスニングポイント８に到達するまでの到達時間は、テレビ２で５０ｍｓ信号を遅延されるセンタチャンネル（スピーカ２４）が、他のチャンネルよりも大幅に長くなるのが通常である。
【００３８】
図６（Ａ）に示すように、スピーカからテスト音声が放音されたのちリスニングポイント８に到達するまでの空間伝搬時間は、各チャンネルとも大差ないが、センタ（Ｃ）チャンネルのみ、テスト信号がＨＤＭＩコネクタを経由してテレビ２に伝送され、さらにテレビ２の内部でビデオ信号のデコード時間だけ内部遅延されるため、他のチャンネルに比べて到達時間が大幅に長くなっている。したがって、通常はセンタチャンネルの遅延時間（遅延パラメータ）が０になる。
【００３９】
もし、テレビ２でビデオデコード時間分のオーディオ信号の遅延が行われない場合には、図６（Ｂ）に示すように、ＡＶアンプ１内で、センタチャンネルを含む全てのチャンネルをビデオ信号のデコードタイミングに同期するように遅延させればよい。ビデオデコードに要する時間は、ＣＥＣコマンド等を用いてテレビ２から受信してもよく、ＡＶアンプ１に光センサを接続し、ＡＶアンプ１からテレビ２に向けてテスト画像を出力して遅延を測定するようにしてもよい。
【００４０】
次に、各チャンネルの音量制御パラメータを設定する（Ｓ２１）。各チャンネルのスピーカ３，２４から放音した音声のリスニングポイント８における音圧レベルを比較し、最も音圧レベルの小さいチャンネル（最小チャンネル）の減衰量０ｄＢに設定し、他のチャンネルの減衰量は、そのチャンネルの音声の音圧レベルと上記最小チャンネルの音声の音圧レベルとの差とする。各チャンネルの減衰量がこのように設定されるように音量制御パラメータを決定する。以上の処理で設定されたパラメータをパラメータテーブル（図４参照）に書き込んで（Ｓ２２）処理を終了する。
【００４１】
図７は拡張モードのオン／オフ時のＡＶアンプ１の動作を示すフローチャートである。同図（Ａ）は拡張モードオン時の動作を示している。ユーザにより拡張モードオンの操作が行われると、テレビ２に対して音量制御禁止コマンドを送信してユーザによる音量調整操作を禁止する（Ｓ３０）。現在テレビ２に設定されている音量設定値を読み取って記憶する（Ｓ３１）。そして、音声処理部１４に各種パラメータを設定するとともに（Ｓ３２）、テレビ２に対してセンタチャンネルの音量制御パラメータを送信してＡＶアンプ１に直接接続されているスピーカ３とテレビ２の内蔵スピーカ２４を連動させる（Ｓ３３）。以後のオーディオ・ビデオ信号の再生においてはセンタチャンネルのオーディオ信号のみＨＤＭＩ送信部１６を介してテレビ２に送信する（Ｓ３４）。
【００４２】
図７（Ｂ）は拡張モードオフ時の動作を示すフローチャートである。ユーザにより拡張モードオフの操作が行われると、Ｓ３１で読み取った音量設定値をテレビ２に送信して、音量を元の値に戻すとともに（Ｓ４０）、テレビ２に対して音量制御許可コマンドを送信してユーザによる音量調整操作を許可する（Ｓ４１）。これにより、テレビ２は通常モードで単独で動作する。また、ＡＶアンプ１は、センタチャンネル無しで（たとえばフロント左右の２チャンネルで）動作する。
【００４３】
この実施形態では、拡張モード時に、センタチャンネルをテレビ２（外部装置）のスピーカにアサインしたが、テレビ２にアサインするチャンネルはセンタチャンネルに限定されない。また、テレビ２がＬＲステレオなど複数チャンネルの内蔵スピーカを有する場合には、複数チャンネルのオーディオ信号をテレビ２にアサインしてもよい。
【００４４】
また、この実施形態では、拡張モード時に、音量のみテレビ２（外部装置）で調整するようにしているが、テレビ２の音量設定値を最大（０ｄＢ）に固定し、ＡＶアンプ１で音量（信号レベル）を調整して出力してもよい。
【００４５】
この実施形態では、ＡＶアンプ１がソース機器４からオーディオ・ビデオ信号を入力しているが、ＡＶアンプ１がＤＶＤ再生部やデジタルテレビチューナなどを内蔵し、内部でオーディオ・ビデオ信号を再生するものであってもよい。
【符号の説明】
【００４６】
１  ＡＶアンプ
２  テレビ
３  スピーカ
４  ソース機器
８  リスニングポイント
【図１】
2011130236.tif 000003
【図２】
2011130236.tif 000004
【図３】
2011130236.tif 000005
【図４】
2011130236.tif 000006
【図５】
2011130236.tif 000007
【図６】
2011130236.tif 000008
【図７】
2011130236.tif 000009